(57)【特許請求の範囲】
【請求項１】
画素毎の光源の全点灯時間が互いに長さが異なる複数の期間に分割されたときにおける分割された各期間のうちのいずれの期間に画像光源を駆動するかを示す階調データに基づいて画像光源を駆動する画像光駆動手段を備えた画像形成装置において、
階調値ｎに対応する階調データと組み合わせたときに画像光源を駆動する期間に前後を挟まれた画像光源を駆動しない期間が前記画像光源の特性により見かけ上前記画像光源を駆動する期間に反転することが原因で出力画像の階調が階調値ｎ＋１を超えるという出力画像の階調の反転を生じさせる前記全点灯時間の分割状態について、この分割状態に如何なる階調データを組み合わせても前記出力画像の階調の反転が生じないように前記分割状態に組み合わされるべき複数の階調データのうちの一部を他の階調値に係る階調データに変換するルールを記憶した変換テーブルを有し、
この変換テーブルにしたがって前記画像光駆動手段に入力されるべき階調データを変換する変換手段を設けたことを特徴とする画像形成装置。
【請求項２】
前記画素毎の光源の全点灯時間が、最長の期間及び２番目に長い期間が両端に配置されるように分割されることを特徴とする請求項１に記載の画像形成装置。
【請求項３】
前記画素毎の光源の全点灯時間が、最長の期間の前後に最短の期間及び２番目に短い期間が配置されるように分割されることを特徴とする請求項１に記載の画像形成装置。
【発明の詳細な説明】
【０００１】
【発明の属する技術分野】
この発明は、電子写真法を用いて画像形成を行うディジタル複写機やプリンタ等の画像形成装置に関し、特に、画素毎に画像光を照射する光源の点灯時間を増減して中間調を表現する画像形成装置に関する。
【０００２】
【従来の技術】
電子写真法を用いて画像形成を行うディジタル複写機やプリンタ等の画像形成装置は、均一の電荷を帯電した感光体に画像光を照射し、光導電作用により形成された静電潜像に現像剤を静電吸着させて顕像を得る。このような画像形成装置は、パーソナルコンピュータやネットワークの出力機器としても広く使用されており、写真等の中間調画像を高品質に出力することができる画像形成装置の要請が高まっている。電子写真法による画像形成において中間調を表現する方法の１つとして、１画素の印字ドットの濃度または大きさを変化させることによって中間調を表現する１画素多値表現方法が知られている。
【０００３】
具体的には、画像データに基づく光を照射する１画素毎の光源の全点灯時間をＴとした場合、例えば、３２階調を表現する際には、１階調あたりＴ／３２の点灯時間で光源を点灯する。即ち、感光体表面の低電位部分に現像剤を吸着させる反転現像方式を例にとると、最も低濃度の第１階調の画素に対してＴ／３２の点灯時間で光源を点灯し、最も高濃度の第３２階調の画素に対して３２Ｔ／３２の点灯時間で光源を点灯する。
【０００４】
このように、画素毎に画像光を照射する光源の点灯時間を増減して中間調を表現する１画素多値表現法を用いた画像形成装置は、例えば、図５に示すように、画像を読み取るＣＣＤ等の画像読取装置２１、アナログ信号をディジタルデータである画像データに変換するＡ／Ｄ変換器２２、Ａ／Ｄ変換器２２から出力される画像データを格納するイメージバッファ２３、画像データに対して領域分離、輪郭強調及び孤立点除去等の画像処理を施す画像処理回路２４、画像処理された画像データを格納するデータバッファ２５、画像データを１ライン毎に格納するシフトレジスタ３１、シフトレジスタ３１の出力を格納するビデオバッファ３３、ビデオバッファ３３に対してＨＳＹＮＣ信号及びＨＳＥＬ信号を出力するＬＥＤ点灯単位信号発生回路３２、画素毎に画像光を照射する光源であるＬＥＤアレイ３６を駆動するＬＥＤ点灯回路３４、及び、ＬＥＤアレイ３６を構成する各ＬＥＤ素子の光量誤差を補正する電流制御回路３５を備えている。
【０００５】
以上のように構成された画像形成装置において、ＣＣＤ等の画像読取装置２１により読み取られた画像信号が、Ａ／Ｄ変換器２２において１画素毎に多値のディジタルデータである画像データに変換される。この画像データは、イメージバッファ２３を介して画像処理回路２４において画像処理を施され、データバッファ２５に蓄えられる。なお、イメージバッファ２３は、画像処理回路２４の画像処理において処理対象画素の前後の画素についての画像情報を用いる場合に必要とされる。また、データバッファ２５は、画像処理回路２４と後段のシフトレジスタ３１との処理速度の不一致を解消するために必要とされる。
【０００６】
データバッファ２５に蓄えられた画像データは、クロックパルスＣＬＫに同期してシフトレジスタ３１にシリアルに転送される。この画像データは、例えば、１６階調であれば１画素当り４ｂｉｔ、３２階調であれば１画素当り５ｂｉｔの階調データであり、各ラインに含まれる画素のそれぞれの階調データが、図６に示すＨＳＹＮＣ信号毎に、データバッファ２５からシフトレジスタ３１に転送される。このＨＳＹＮＣ信号の出力間隔は、感光体の表面が１画素分移動するために必要な時間にされている。
【０００７】
シフトレジスタ３１に入力された１ライン分の階調データは、ＨＳＹＮＣ信号毎にビデオバッファ３３に転送され、図６に示すＨＳＥＬ信号の出力タイミングで階調データが１ライン分毎にビデオバッファ３３からＬＥＤ点灯回路３４に出力され、画像光を照射する光源であるＬＥＤアレイ３６が駆動される。ＨＳＥＬ信号は、３２階調の場合、ＨＳＹＮＣ信号の１周期ｔの間を１６ｔ／３１、８ｔ／３１、４ｔ／３１、２ｔ／３１及びｔ／３１の５つの期間に分割する信号である。階調データにおいて各期間の“Ｈ”または“Ｌ”の組み合わせを変えることにより、全ての期間が“Ｌ”である場合を含めて１画素について３２階調が表現される。
【０００８】
ビデオバッファ３３は、シフトレジスタによって構成されており、シフトレジスタ３１からの階調データＤｍの出力タイミングとＬＥＤ点灯回路３４に対する階調データＶｍの出力タイミングとを同期させるために設けられている。即ち、ビデオバッファ３３に入力された階調データＤｍは、ＨＳＹＮＣ信号の１周期分遅れたタイミングでビデオバッファ３３からＬＥＤ点灯回路３４に出力される。
【０００９】
【発明が解決しようとする課題】
しかしながら、上記従来の画像形成装置では、ＨＳＥＬ信号の発生順序によって、階調データにおける“Ｈ”期間に挟まれた“Ｌ”期間も顕像化されてしまい、第ｎ階調データに対する出力画像の階調が第ｎ＋１階調データに対する出力画像の階調より高くなり、階調の逆転現象が発生し、出力画像において階調の連続性が表現できなくなる。この階調の逆転現象の原因を１画素２値表現方式で画像を形成する場合について説明すると、光源であるＬＥＤから照射される光は光学レンズにより集光して所定の光量を得るようにされており、ＬＥＤ素子の配置位置の寸法誤差や光学レンズの集光誤差を吸収すべく、ＬＥＤのビーム径は目的とする解像度から求められるビーム径よりも数割程度大きくされている。また、ＬＥＤの照射光は、図７に示すようにガウス分布を示す。このため、ＬＥＤの照射光による光導電作用により感光体に形成される静電潜像は、図８に示すようにエッジ付近で電位の傾斜が緩やかになる。そこで、静電潜像の電位に所定の閾値を設定し、例えば、反転現像方式では、閾値より低い部分について可視像化する画像形成プロセスが実行される。
【００１０】
このような状況において、ＬＥＤが消灯される“０”の画素の両側が、ＬＥＤが点灯される“１”の画素に挟まれている点灯パターンでは、微小な“０”の画素を再現することができなくなる。例えば、図９に示すように、連続する４画素の点灯パターンが“１００１”の場合、解像度よりもＬＥＤのビーム径が大きいため、中間の“０”の画素において電位が十分に高くならず、４画素の全てにおいて閾値電位Ａの近傍の帯電電位となり、画像パターンは“１１１１”となってしまう。点灯パターンが“１０１”の場合も同様に“１１１”の画像パターンが形成される。
【００１１】
以上は、１画素２値表現方式の画像形成における２値画像の逆転現象であるが、これと同様の現象が１画素多値表現方式の各画素における階調表現についても生じる。例えば、１画素を８階調で表現する場合には階調データは“１”、“２”、“４”のそれぞれを表す３つの期間で構成され、各期間における“Ｈ”、“Ｌ”の組み合わせによって８階調が表現される。したがって、第１階調を“０”とした場合、第６階調である“５”は、“１”の期間と“４”の期間とを“Ｈ”、“２”の期間を“Ｌ”として表現される。このとき、前後を“Ｈ”の期間に挟まれた“Ｌ”の“２”の期間が、１画素２値表現方式の画像形成時と同様の理由によって十分に高い電位とならず、“Ｈ”の期間になってしまう。このため、第６階調が第７階調である“６”よりも高い値の“７”となって、階調の逆転現象を生じ、正確な中間調表現で画像を再現することができない問題がある。
【００１２】
この発明の目的は、画像光の特性に起因して生じる階調の逆転現象を未然に防止し、写真等の画像の中間調を正確に表現することができ、高品質の中間調画像を出力できる画像形成装置を提供することにある。
【００１３】
【課題を解決するための手段】
請求項１に記載した発明は、画素毎の光源の全点灯時間が互いに長さが異なる複数の期間に分割されたときにおける分割された各期間のうちのいずれの期間に画像光源を駆動するかを示す階調データに基づいて画像光源を駆動する画像光駆動手段を備えた画像形成装置において、
階調値ｎに対応する階調データと組み合わせたときに画像光源を駆動する期間に前後を挟まれた画像光源を駆動しない期間が前記画像光源の特性により見かけ上前記画像光源を駆動する期間に反転することが原因で出力画像の階調が階調値ｎ＋１を超えるという出力画像の階調の反転を生じさせる前記全点灯時間の分割状態について、この分割状態に如何なる階調データを組み合わせても前記出力画像の階調の反転が生じないようにこの分割状態に組み合わされるべき複数の階調データのうちの一部を他の階調値に係る階調データに変換するルールを記憶した変換テーブルを有し、
この変換テーブルにしたがって前記画像光駆動手段に入力されるべき階調データを変換する変換手段を設けたことを特徴とする。
【００１４】
請求項１に記載した発明においては、画像光駆動手段に入力される階調データが、その階調データにおける各期間の分割状態に応じて出力画像の階調の逆転を補正するように変換される。したがって、画像光の特性に起因して階調データを構成する単一または複数の期間における画像光の消灯状態が点灯状態に反転した場合にも、出力画像において階調の逆転を生じることがなく、出力画像における中間調の再現性が向上する。
【００１５】
請求項２に記載した発明は、前記画素毎の光源の全点灯時間が、最長の期間及び２番目に長い期間が両端に配置されるように分割されることを特徴とする。
【００１６】
請求項２に記載した発明においては、階調データにおいて分割された期間のうち、最長の期間及び２番目に長い期間が階調データの両端に位置する。したがって、最長の期間または２番目に長い期間を消灯状態とする階調データでは、その階調データに含まれる短い期間の消灯状態が、隣接画素における画像光によって点灯状態に反転することがなく、最長の期間または２番目に長い期間を消灯状態とする階調データについては変換する必要がないため、変換テーブルの構成及び変換手段の処理が簡略化される。
【００１７】
請求項３に記載した発明は、前記画素毎の光源の全点灯時間が、最長の期間の前後に最短の期間及び２番目に短い期間が配置されるように分割されることを特徴とする。
【００１８】
請求項３に記載した発明においては、階調データにおいて分割された期間のうち、最短の期間及び２番目に短い期間が、最長の期間の両側に位置する。したがって、最長の期間を消灯状態とする階調データでは、その階調データに含まれる短い期間の消灯状態が、最長の期間の画像光によって点灯状態に反転することがなく、最長の期間を消灯状態とする階調データについては変換する必要がないため、変換テーブルの構成及び変換手段の処理が簡略化される。
【００１９】
【発明の実施の形態】
図１は、この発明の実施形態の一例である画像形成装置の概略の断面図である。画像形成装置１の内部中央には、感光体ドラム５が回転自在に設けられており、この感光体ドラム５の周囲に帯電器６，現像装置８、転写ローラ７及びクリーナ９が配置されている。感光体ドラム５の上方には、露光装置１５が配置されている。この露光装置１５は、感光体ドラム５の軸方向に直線状または千鳥状に複数のＬＥＤ素子を配置したＬＥＤアレイと点灯制御回路とを含み、ＬＥＤアレイから照射された画像光が感光体ドラム５の表面に配光される。
【００２０】
画像形成装置１の一方の側面には、給紙トレイ２が装着されており、給紙トレイ２の下端部に給紙ローラ３が配置されている。画像形成装置１の他方の側面には、下端部に排紙ローラ１２を備えた排紙トレイ１１が形成されている。給紙ローラ３から感光体ドラム５と転写ローラ７との間を経由して排紙ローラ１２に至る間には、センサ１４、搬送ローラ１３及び定着装置１０を配置した用紙搬送路４が形成されている。
【００２１】
以上のように構成された画像形成装置１において画像を形成する場合、図外の画像読取装置等から入力された画像データに基づいて露光装置１５から画像光が感光体ドラム５の表面に照射される。感光体ドラム５の表面は、露光装置１５による画像光の露光に先立って、帯電器６から単一極性の電荷が付与されており、感光体ドラム５の表面には、光導電作用により静電潜像が形成される。この感光体ドラム５の表面に形成された静電潜像に対して現像装置８から現像剤が供給され、静電潜像が現像剤画像に顕像化される。
【００２２】
給紙ローラ３の回転により給紙トレイ２から用紙が給紙されると、センサ１４がこれを検出する。センサ１４の検出信号に基づいて、用紙の前端が感光体ドラム５の表面の現像剤画像の前端部に一致するタイミングで、露光装置１５から画像光が照射される。一方、給紙された用紙は、搬送ローラ１３の回転により感光体ドラム５と転写ローラ７との間に導かれ、転写ローラ７により感光体ドラム５の表面の現像剤画像が用紙に転写される。現像剤画像を転写した用紙は、定着装置１０において加熱及び加圧され、現像剤画像が溶融して用紙に定着する。定着装置１０を通過した用紙は、排紙ローラ１２の回転により排紙トレイ１１に排出される。
【００２３】
図２は、上記画像形成装置の要部の構成を示すブロック図である。同図において、図５の従来の画像形成装置の構成と同一部分には、同一の番号を付して説明を省略する。この発明に係る画像形成装置１は、画像処理回路２４とデータバッファ２５との間に階調補正変換テーブル用メモリ２６を設けた点で、図２に示した従来の画像形成装置と相違している。
【００２４】
階調補正変換テーブル用メモリ２６は、画像処理回路２４から入力されるデータとデータバッファ２５に出力するデータとの変換テーブルを予め記憶しており、入力された階調データの一部について、その内容を変換して出力する。この構成により、この発明に係る画像形成装置１では、画像処理回路２４により画像処理を施された画像データの一部は、階調補正変換テーブル用メモリ２６に入力され、所定の階調データに変換された後にデータバッファ２５に格納される。
【００２５】
データバッファ２５に蓄えられた画像データは、クロックパルスＣＬＫに同期してシフトレジスタ３１にシリアルに転送される。この画像データは、例えば、３２階調であれば１画素当り５ｂｉｔの階調データであり、各ラインに含まれる画素のそれぞれの階調データが、図６に示すＨＳＹＮＣ信号毎に、データバッファ２５からシフトレジスタ３１に転送される。このＨＳＹＮＣ信号の出力間隔は、感光体の表面が１画素分移動するために必要な時間にされている。
【００２６】
シフトレジスタ３１に入力された１ライン分の階調データは、ＨＳＹＮＣ信号毎にビデオバッファ３３に転送され、図６に示すＨＳＥＬ信号の出力タイミングで階調データが１ライン分毎にビデオバッファ３３からＬＥＤ点灯回路３４に出力され、画像光を照射する光源であるＬＥＤアレイ３６が駆動される。ＨＳＥＬ信号は、３２階調の場合、ＨＳＹＮＣ信号の１周期ｔの間を１６ｔ／３１、８ｔ／３１、４ｔ／３１、２ｔ／３１及びｔ／３１の５つの期間に分割する信号である。階調データにおいて各期間の“Ｈ”または“Ｌ”の組み合わせを変えることにより、１画素について“０”〜“３１”の３２階調が表現される。
【００２７】
したがって、１画素３２階調の中間調表現の場合、１画素の階調データは、“１”，“２”，“４”，“８”，“１６”のそれぞれを、その数値に比例した時間によって表す５つの期間で構成され、各期間を分割するタイミングでＨＳＥＬ信号が出力される。
【００２８】
図３（Ａ）に示すように、ＨＳＥＬ信号の出力タイミングを８ｔ，ｔ，１６ｔ，２ｔ，４ｔの順とし、１画素の階調データに含まれる５つの期間を“８”，“１”，“１６”，“２”，“４”の順に構成した場合、“１”，“１６”，“４”の期間を“Ｈ”として表現される第２２階調の階調データ“２１”において“２”の期間も見かけ上“Ｈ”になって第２４階調の階調データ“２３”と同一のデータとなり、第２２階調の出力画像の階調が第２３階調の出力画像の階調より高くなって階調の逆転現象を生じる。
【００２９】
そこで、図４（Ａ）に示すように、階調データ“２０”を“１９”に、階調データ“２１”を“２２”に、それぞれ変換する。このようにして、階調データにおいて“Ｌ”の“２”の期間が“Ｈ”の期間で挟まれる組み合わせを除外することにより、第ｎ階調の出力画像の階調が第ｎ＋１階調の出力画像の階調より高くなる階調の逆転現象を防止することができる。
【００３０】
なお、上記の階調データの構成では、“８”及び“１６”の期間が“Ｈ”である階調データ“２４”のように、階調データ“２１”以外にも“１”の期間または“２”の期間が“Ｌ”から“Ｈ”に反転する場合がある。しかし、階調データ“２１”以外の場合には、出力画像の階調の連続性は損なわれないため、あえて変換する必要はない。
【００３１】
また、図３（Ｂ）に示すように、ＨＳＥＬ信号の出力タイミングをｔ，２ｔ，４ｔ，８ｔ，１６ｔの順とし、１画素の階調データに含まれる５つの期間を“１”，“２”，“４”，“８”，“１６”の順に構成した場合、“１”，“４”の期間を“Ｈ”として表現される第６階調の階調データ“５”、“１”，“４”，“８”の期間を“Ｈ”として表現される第１４階調の階調データ“１３”、及び、“１”，“４”，“１６”の期間を“Ｈ”として表現される第２２階調の階調データ“２１”において、隣接画素の階調データが“１６”以上である場合には、“１”の期間が隣接画素の“１６”の期間に連続し、“Ｌ”である“２”の期間が“Ｈ”の長期間に挟まれ、“２”の期間も見かけ上“Ｈ”になり、階調の逆転現象を生じる。
【００３２】
そこで、図４（Ｂ）に示すように、階調データ“５”を“６”に、階調データ“１３”を“１４”に、階調データ“２１”を“２０”に、それぞれ変換する。このようにして、階調データにおいて“Ｌ”の“２”の期間が“Ｈ”の期間で挟まれる組み合わせを除外することにより、第ｎ階調の出力画像の階調が第ｎ＋１階調の出力画像の階調より高くなる階調の逆転現象を防止することができる。
【００３３】
また、図３（Ｃ）に示すように、ＨＳＥＬ信号の出力タイミングを１６ｔ，ｔ，２ｔ，４ｔ，８ｔの順とし、１画素の階調データに含まれる５つの期間を“１６”，“１”，“２”，“４”，“８”の順に構成することにより、“１”，“４”の期間を“Ｈ”として表現される第６階調の階調データ“５”、及び、“１”，“４”，“８”の期間を“Ｈ”として表現される第１４階調の階調データ“１３”については、“Ｌ”である“１６”の期間が十分に長い期間であるため、隣接画素の影響を受けることがない。したがって、この場合には、図４（Ｃ）に示すように、階調データ“２１”を“２０”に変換することのみによって“Ｌ”の“２”の期間が“Ｈ”の期間で挟まれる組み合わせを除外することができ、第ｎ階調の出力画像の階調が第ｎ＋１階調の出力画像の階調より高くなる階調の逆転現象を防止することができる。
【００３４】
これは、ＨＳＥＬ信号の出力タイミングを８ｔ，４ｔ，２ｔ，１ｔ，１６ｔの順とし、１画素の階調データに含まれる５つの期間を“８”，“４”，“２”，“１”，“１６”の順に構成した場合にも同様である。
【００３５】
さらに、図３（Ｄ）に示すように、ＨＳＥＬ信号の出力タイミングを８ｔ，２ｔ，１６ｔ，ｔ，４ｔの順として１画素の階調データに含まれる５つの期間を“８”，“２”，“１６”，“１”，“４”の順に構成した場合、または、ＨＳＥＬ信号の出力タイミングを４ｔ，ｔ，１６ｔ，２ｔ，８ｔの順として１画素の階調データに含まれる５つの期間を“４”，“１”，“１６”，“２”，“８”の順に構成した場合、“８”，“１６”の期間を“Ｈ”として表現される第２５階調の階調データ“２４”、及び、“１”，“８”，“１６”の期間を“Ｈ”として表現される第２６階調の階調データ“２５”において、“Ｌ”である“２”の期間が“Ｈ”の長期間に挟まれ、“２”の期間も見かけ上“Ｈ”になり、階調の逆転現象を生じる。
【００３６】
そこで、図４（Ｄ）に示すように、階調データ“２５”を“２６”に、階調データ“２６”を“２７”に、それぞれ変換する。これによって、階調データ“２３”〜“２７”は、出力画像において“２３”，“２６”，“２６”，“２７”，“２７”の階調となり、出力画像において階調の逆転現象は生じない。このようにして、階調データにおいて“Ｌ”の“２”の期間が“Ｈ”の期間で挟まれる組み合わせを除外することにより、第ｎ階調の出力画像の階調が第ｎ＋１階調の出力画像の階調より高くなる階調の逆転現象を防止することができる。
【００３７】
以上のことから、階調データにおける各期間の組み合わせに応じて、階調補正変換テーブル用メモリ２６に、図４（Ａ）〜（Ｄ）のいずれかの変換テーブルを予め格納しておくことにより、出力画像において階調の連続性を維持することができ、出力画像の品質の劣化を防止することができる。
【００３８】
なお、上記の例は、１画素を３２階調で表現する場合であるが、この発明は、１画素を３２階調以外で表現する他の１画素多値表現による中間調表現にも同様に適用することができる。
【００３９】
【発明の効果】
請求項１に記載した発明によれば、画像光駆動手段に入力される階調データを、その階調データにおける各期間の分割状態に応じて出力画像の階調の逆転を補正するように変換することにより、画像光の特性に起因して階調データを構成する単一または複数の期間における画像光の消灯状態が点灯状態に反転した場合にも、出力画像において階調の逆転を防止することができ、出力画像における中間調の再現性を向上することができる。
【００４０】
請求項２に記載した発明によれば、階調データにおいて分割された期間のうち、最長の期間及び２番目に長い期間を階調データの両端に位置させることにより、最長の期間または２番目に長い期間を消灯状態とする階調データについて変換する必要をなくすことができ、変換テーブルの構成及び変換手段の処理を簡略化できる。
【００４１】
請求項３に記載した発明によれば、階調データにおいて分割された期間のうち、最短の期間及び２番目に短い期間を、最長の期間の両側に位置させることにより、最長の期間を消灯状態とする階調データについて変換する必要をなくすことができ、変換テーブルの構成及び変換手段の処理を簡略化できる。
【図面の簡単な説明】
【図１】この発明の実施形態の一例である画像形成装置の概略の断面図である。
【図２】同画像形成装置の要部の構成を示すブロック図である。
【図３】同画像形成装置における階調データの分割状態、及び、特定の階調についての階調データの内容を示す図である。
【図４】同画像形成装置の変換手段が記憶する変換テーブルの内容を示す図である。
【図５】従来の画像形成装置の要部の構成を示すブロック図である。
【図６】この発明の実施形態を含む画像形成装置における階調表現のための信号のタイミングチャートである。
【図７】この発明の実施形態を含む画像形成装置における画像光の特性を示す図である。
【図８】この発明の実施形態を含む画像形成装置における感光体表面の帯電電位を示す図である。
【図９】従来の画像形成装置における画像データの反転現象を説明する図である。
【符号の説明】
１−画像形成装置
１５−フィールドメモリ
２６−階調補正変換テーブル用メモリ（変換手段）
３４−ＬＥＤ点灯回路（画像光駆動手段）
【図１】
0003634096.tif 000002
【図２】
0003634096.tif 000003
【図３】
0003634096.tif 000004
【図４】
0003634096.tif 000005
【図５】
0003634096.tif 000006
【図６】
0003634096.tif 000007
【図７】
0003634096.tif 000008
【図８】
0003634096.tif 000009
【図９】
0003634096.tif 000010